(57)【要約】【課題】観察方向に制限されることなく潜像による真偽判別を容易に行う。【解決手段】シート基材２の平面部３から突出し、マトリックス状に形成された複数の凸部１１と、複数の凸部１１のうち予め決められた凸部１１の側面１１ａの平面部３から第１の高さとなる位置に全周に渡って設けられた文字部マーク１２と、複数の凸部１１のうち文字部マーク１２が設けられていない凸部１１の側面１１ａの平面部３から第１の高さよりも低い第２の高さとなる位置に全周に渡って設けられた背景部マーク１３とを有する。【選択図】図１
2008012725.tif 000002
【特許請求の範囲】
【請求項１】
基材表面から突出し、マトリックス状に形成された複数の凸部と、
前記複数の凸部のうち予め決められた凸部の前記基材表面から第１の高さとなる位置に設けられた第１のマーク部と、
前記複数の凸部のうち前記第１のマーク部が設けられていない凸部の前記基材表面から前記第１の高さと異なる第２の高さとなる位置に設けられた第２のマーク部とを有し、
前記第１のマーク部と前記第２のマーク部とは、相似形であり、少なくとも一方が前記凸部の側面の全周に渡って設けられた偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
基材表面から突出し、マトリックス状に形成された複数の凸部と、
前記複数の凸部のうち予め決められた凸部の前記基材表面から第１の高さとなる位置に設けられた第１のマーク部と、
前記複数の凸部のうち前記第１のマーク部が設けられていない凸部の前記基材表面から前記第１の高さと異なる第２の高さとなる位置に設けられた第２のマーク部とを有し、
前記第１のマーク部と前記第２のマーク部とは、相似形であり、少なくとも一方が前記凸部の側面の全周に渡って設けられている。
【０００９】
上記のように構成された本発明においては、基材を正面から観察した場合、複数の凸部に設けられた第１のマーク部及び第２のマーク部は、観察方向から遮るものが存在しないため、全ての第１のマーク部と第２のマーク部が視認される。第１のマーク部と第２のマーク部とは、基材表面からの高さが互いに異なるものの、互いに相似形であり、かつその高さ方向から観察されているため、略同一の形状として認識され、それにより、第１のマーク部と第２のマーク部との区別がつきにくく、同一形状のマーク部が並んで形成されているものとして認識される。この状態から観察方向を基材表面に対して鋭角をなす方向に変化させていき、基材表面に対する観察方向のなす角度が所定の角度よりも小さくなると、凸部に互いに高さが異なるように設けられた第１のマーク部と第２のマーク部とのうち、凸部における高さが低い方のマーク部がその凸部の観察方向側に隣接する凸部によって隠れて見えなくなり、それにより、凸部における高さが高い方のマーク部のみが視認可能となる。そのため、複数の第１のマーク部を潜像となる所定の情報が表現されるように複数の凸部のうち予め決められた凸部に設けておけば、基材表面に対して所定の角度よりも小さな角度をなす方向から観察した場合、第１のマーク部を用いた潜像が浮かび上がって見えるようになる。ここで、本発明においては、互いに相似形の第１のマーク部と第２のマーク部との少なくとも一方が凹部の側面の全周に渡って設けられ、かつ、複数の凸部がマトリックス状に形成されているので、基材表面に対して所定の角度よりも小さな角度をなすどの方向から観察した場合であっても、凸部における高さが低い方のマーク部が観察方向側に隣接する凸部によって隠れて見えなくなり、凸部における高さが高い方のマーク部のみが視認可能な状態となって第１のマーク部による潜像が浮かび上がって見えるようになる。また、第１のマーク部と第２のマーク部とは互いに相似形であるので、基材を正面から観察した場合に、第１のマーク部と第２のマーク部との区別がつきにくくなり、第１のマーク部を用いた潜像を認識困難とすることができる。
【発明の効果】
【００１０】
以上説明したように本発明においては、基材表面から突出した複数の凸部がマトリックス状に設けられ、この複数の凸部のうち予め決められた凸部の第１の高さとなる位置に第１のマーク部が設けられるとともに、複数の凸部のうち第１のマーク部が設けられていない凸部の側面の基材表面から第１の高さと異なる第２の高さとなる位置に第２のマーク部が設けられ、第１のマーク部と第２のマーク部とが互いに相似形であり、これらの少なくとも一方が凸部の側面の全周に渡って設けられた構成としたため、基材表面に対して所定の角度よりも小さな角度をなすどの方向から観察した場合であっても、第１のマーク部と第２のマーク部とのうち凸部における高さが低い方のマーク部のみが観察方向側に隣接する凸部によって隠れて見えなくなり、観察方向に制限されることなく第１のマーク部を用いた潜像が浮かび上がってその潜像による真偽判別を容易に行うことができる。また、第１のマーク部と第２のマーク部とが互いに相似形であるため、基材を正面から観察した場合に、第１のマーク部と第２のマーク部との区別がつきにくくなり、第１のマーク部を用いた潜像を認識困難とすることができる。
【発明を実施するための最良の形態】
【００１１】
以下に、本発明の実施の形態について図面を参照して説明する。
【００１２】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は文字部マーク１２が設けられた凸部１１の構成を示す図、（ｅ）は背景部マーク１３が設けられた凸部１１の構成を示す図である。
【００１３】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１４】
シート基材２に設けられた偽造防止構造１０は図１（ｂ）に示すように、シート基材２にマトリックス状に形成された複数の凸部１１と、この複数の凸部１１のうち予め決められた凸部１１のみに設けられた第１のマーク部である文字部マーク１２と、複数の凸部１１のうち文字部マーク１２が設けられていない凸部１１に設けられた第２のマーク部である背景部マーク１３とから構成されている。凸部１１は図１（ｃ）に示すように、円錐から頂点の部分が取り除かれた形状であって、シート基材２の表面から平面部３の法線方向に０．１ｍｍ程度突出し、平面部３との境界部分が直径０．５ｍｍ以下の円形状となっている。この境界部分から離れていくに従ってその断面積が徐々に狭くなり、図１（ｄ），（ｅ）に示すように、境界部分の反対側は平面部３と平行な頂部１１ｂとなっている。そのため、凸部１１の側面１１ａは、平面部３の法線に対して斜めの方向を向いている。文字部マーク１２は、複数の凸部１１のうち予め決められた凸部１１の側面１１ａの平面部３からの高さが第１の高さｈ1となる位置にて全周に渡って印刷によって設けられており、凸部１１の平面部３との境界部分が円形状であり、また、この境界部分から離れていくに従って凸部１１の断面積が徐々に狭くなることから、シート基材２の平面部３の法線方向から見た場合に円形状となっている。背景部マーク１３は、複数の凸部１１のうち文字部マーク１２が設けられていない凸部１１の側面１１ａの平面部３からの高さが第２の高さｈ2となる位置にて全周に渡って印刷によって設けられており、凸部１１の平面部３との境界部分が円形状であり、また、この境界部分から離れていくに従って凸部１１の断面積が徐々に狭くなることから、シート基材２の平面部３の法線方向から見た場合に円形状となっている。ここで、凸部１１の側面１１ａにて文字部マーク１２が設けられた高さｈ1と、背景部マーク１３が設けられた高さｈ2とは、背景部マーク１３が設けられた高さｈ2が文字部マーク１２が設けられた高さｈ1よりも低くなっている。なお、本形態にて図示する偽造防止構造１０は、説明を簡単にするために縦横がそれぞれ１０個ずつの凸部１１が形成されたものであるが、その数を多くすればするほど、この偽造防止構造１０によって浮き上がらせることができる潜像となる文字を精細なものとすることができ、曲線等を表現しやすくなる。
【００１５】
以下に、上記のように構成された偽造防止シート１の製造方法について説明する。
【００１６】
図２は、図１に示した偽造防止シート１の製造方法を説明するための図であり、シート基材２のうち偽造防止構造１０が設けられる領域のみを示す。
【００１７】
まず、シート基材２の偽造防止構造１０が設けられる領域に、文字部マーク１２及び背景部マーク１３をそれぞれ円形状に印刷する（図２（ａ））。文字部マーク１２は、凸部１１が設けられる１０×１０のマトリックス状の領域のうち潜像となる「Ｔ」を形成する位置に印刷し、背景部マーク１３は、１０×１０のマトリックス状の領域のうち文字部マーク１２が印刷されない位置に印刷する。文字部マーク１２と背景部マーク１３とは、互いに相似形であって、その径は、文字部マーク１２及び背景部マーク１３が設けられた領域に凸部１１を形成した際に、上述したように平面部３からの高さが背景部マーク１３の方が文字部マーク１２よりも低くなるように、文字部マーク１２の径の方が背景部マーク１３の径よりも小さくなっている。これら文字部マーク１２と背景部マーク１３との組み合わせは、偽造防止構造１０によって浮かび上がる潜像（本形態においては「Ｔ」）に応じて予め設定されており、印刷データとして与えられる。また、これら文字部マーク１２と背景部マーク１３の印刷は、上述したようなプレ印刷と同時に行ってもよいし、上述したプレ印刷を行った後に行ってもよい。
【００１８】
次に、文字部マーク１２が印刷された領域と背景部マーク１３が印刷された領域とのそれぞれに、エンボス版を用いて複数の凸部１１を形成する（図２（ｂ））。この際、凸部１１は、文字部マーク１２及び背景部マーク１３の外側がそれぞれ平面部３との境界部分となるように形成され、それにより、文字部マーク１２及び背景部マーク１３はそれぞれ、凸部１１の側面１１ａの全周に渡って設けられた形状となる。
【００１９】
上述したようにして偽造防止シート１が製造され、その後、用途に応じた情報がシート基材２の情報印刷領域４に印刷されて使用されることになる。
【００２０】
以下に、上述した偽造防止シート１の作用について説明する。
【００２１】
まず、図１に示した偽造防止シート１を正面、すなわち、シート基材２の平面部３の法線方向から観察した場合の作用について説明する。
【００２２】
図３は、図１に示した偽造防止シート１を正面から観察した場合の作用を説明するための図であり、（ａ）は断面方向から見た図、（ｂ）は偽造防止構造１０における文字部マーク１２及び背景部マーク１３の見え方を示す図である。
【００２３】
図１に示した偽造防止シート１を、図３（ａ）に示すように、正面、すなわち平面部３の法線方向から観察した場合、複数の凸部１１にそれぞれ設けられた文字部マーク１２及び背景部マーク１３は、観察方向から遮るものが存在しないため、図３（ｂ）に示すように全ての文字部マーク１２及び背景部マーク１３が視認されることとなる。
【００２４】
文字部マーク１２と背景部マーク１３とは、凸部１１の側面１１ａにおいて平面部３からの高さが互いに異なるように設けられているものの、互いに相似形であり、かつ、偽造防止シート１を正面から観察した場合はその高さ方向から観察されることとなり、それにより、文字部マーク１２と背景部マーク１３とが略同一の形状として認識され、同一形状のマークが並んで形成されているものとして認識される。これは凸部１１が微細であるほどこれらが略同一の形状として認識されやすくなる。
【００２５】
次に、図１に示した偽造防止シート１に対する観察方向を正面、すなわち、シート基材２の平面部３の法線方向から変化させていった場合の作用について説明する。
【００２６】
図４は、図１に示した偽造防止シート１に対する観察方向を正面から変化させていった場合の作用を説明するための図であり、（ａ）は断面方向から見た図、（ｂ）は背景部マーク１３が見えなくなる時の平面部３に対する観察方向の角度θ1を示す図、（ｃ）は（ｂ）に示した角度θ1にて文字部マーク１２を見た状態を示す図、（ｄ）〜（ｇ）は偽造防止構造１０における文字部マーク１２及び背景部マーク１３の見え方を示す図である。
【００２７】
図１に示した偽造防止シート１に対する観察方向を正面から変化させていくと、シート基材２の平面部３に対する観察方向のなす角度が鋭角になっていく。そして、シート基材２の平面部３に対する観察方向のなす角度が、図４（ｂ）に示すように角度θ1よりも小さくなると、凸部１１の側面１１ａに設けられた文字部マーク１２及び背景部マーク１３のうち背景部マーク１３が、その背景部マーク１３が設けられた凸部１１の観察方向側に隣接する凸部１１によって隠れて見えなくなる。なお、背景部マーク１３が凸部１１によって隠れて見えなくなる角度θ1は、図４（ｂ）に示すように、背景部マーク１３と、その背景部マーク１３が設けられた凸部１１の観察方向側に隣接する凸部１１の頂部１１ｂの端部との間の平面部３と平行となる方向についての距離をｗ1、背景部マーク１３と凸部１１の平面部３に対する高さの差をｔ1とすると、角度θ1＝ｔａｎ-1（ｔ1／ｗ1）で表される。
【００２８】
一方、文字部マーク１２においては、シート基材２の平面部３に対する観察方向のなす角度が、背景部マーク１３が見えなくなる角度θ1となった場合においても、図４（ｃ）に示すように、その文字部マーク１２が設けられた凸部１１の観察方向側に隣接する凸部１１によって隠れない。
【００２９】
そのため、偽造防止シート１に対する観察方向を、例えば図１中下側に変化させていき、シート基材２の平面部３に対する観察方向のなす角度がθ1よりも小さくなると、凸部１１の側面１１ａに設けられた文字部マーク１２及び背景部マーク１３のうち、全ての文字部マーク１２と観察方向最も手前の列を構成する凸部１１の側面１１ａに設けられた背景部マーク１３のみが見えることになり、図４（ｄ）に示すように、この文字部マーク１２によって構成される潜像「Ｔ」が浮かび上がって見えるようになる。
【００３０】
ここで、図１に示した偽造防止シート１においては、観察方向によって浮かび上がる潜像を構成する文字部マーク１２が、シート基材２に形成された凸部１１の側面１１ａの全周に渡って設けられ、かつ、複数の凸部１１がマトリックス状に形成されているため、シート基材２の平面部３と観察方向とのなす角度がθ1よりも小さければ、どの方向から観察した場合であっても、文字部マーク１２による潜像が浮かび上がって見えるようになる。例えば、偽造防止シート１に対する観察方向を図１中上側に変化させていくと、文字部マーク１２によって構成される潜像「Ｔ」が図４（ｅ）に示すように浮かび上がって見えるようになり、また、偽造防止シート１に対する観察方向を図１中右側に変化させていくと、文字部マーク１２によって構成される潜像「Ｔ」が図４（ｆ）に示すように浮かび上がって見えるようになり、また、偽造防止シート１に対する観察方向を図１中左側に変化させていくと、文字部マーク１２によって構成される潜像「Ｔ」が図４（ｆ）に示すように浮かび上がって見えるようになる。
【００３１】
なお、上述したどの方向から観察した場合においても、マトリックス状に形成された凸部１１のうち観察方向最も手前の列を構成する凸部１１においては、側面１１ａに設けられた背景部マーク１３が視認可能な状態となるが、凸部１１の数が多かったり、図４（ｄ）〜（ｇ）に示したように文字部マーク１２によって構成される潜像の線幅がその背景部マーク１３による線幅よりも太かったりすること等によってこの背景部マーク１３が潜像とは無関係であることが認識できればよい。もし、観察方向最も手前の列を構成する凸部１１の側面１１ａに設けられた背景部マーク１３によって潜像が不明瞭となるような場合は、潜像を構成する文字部マーク１２を、マトリックス状に形成された複数の凸部１１のうち、周囲から離れた凸部１１に設ける等すればよい。
【００３２】
シート基材２の平面部３と観察方向とのなす角度がθ1よりも小さければ、上述したように、凸部１１の側面１１ａに設けられた文字部マーク１２及び背景部マーク１３のうち背景部マーク１３が隠れて見えなくなるが、シート基材２の平面部３と観察方向とのなす角度をさらに小さくしていき、シート基材２の平面部３に対する観察方向のなす角度が、図４（ｃ）に示すように角度θ2よりも小さくなると、凸部１１の側面１１ａに設けられた文字部マーク１２までもが、その文字部マーク１２が設けられた凸部１１の観察方向側に隣接する凸部１１によって隠れて見えなくなってしまう。すなわち、シート基材２の平面部３に対する観察方向のなす角度θが、θ2≦θ≦θ1である場合に、凸部１１の側面１１ａに設けられた文字部マーク１２及び背景部マーク１３のうち文字部マーク１２のみが視認可能となることにより潜像「Ｔ」が浮かび上がって見えることになる。なお、文字部マーク１２が凸部１１によって隠れて見えなくなる角度θ2は、図４（ｃ）に示すように、文字部マーク１２と、その文字部マーク１２が設けられた凸部１１の観察方向側に隣接する凸部１１の頂部１１ｂの端部との間の平面部３と平行となる方向についての距離をｗ2、文字部マーク１２と凸部１１の平面部３に対する高さの差をｔ2とすると、角度θ2＝ｔａｎ-1（ｔ2／ｗ2）で表される。
【００３３】
上述した偽造防止シート１は、複写した場合、シート基材２の情報印刷領域４に印刷された情報や、シート基材２に印刷により設けられた文字部マーク１２及び背景部マーク１３は複写されるものの、凸部１１までは再現できない。そのため、複写物の観察方向を変えていった場合であっても、文字部マーク１２による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、文字部マーク１２による潜像が浮かび上がって見えるため、観察方向に制限されることなく潜像による真偽判別を容易に行うことができる。
【００３４】
（第２の実施の形態）
図５は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は文字部マーク１２が設けられた凸部１１及びその周辺の構成を示す図、（ｅ）は背景部マーク１３が設けられた凸部１１及びその周辺の構成を示す図である。
【００３５】
本形態の偽造防止シート１０１は図５に示すように、第１の実施の形態に示したものに対して、シート基材３に形成された複数の凸部１１毎に、凸部１１を取り囲むように外周マーク１４が設けられている点で異なるものである。外周マーク１４は、複数の凸部１１をそれぞれ取り囲むようにシート基材２の平面部３に印刷によって設けられており、凸部１１の平面部３との境界部分が円形状であることから、円形状となっている。
【００３６】
上記のように構成された偽造防止シート１０１は、第１の実施の形態にて示したものと同様に、まず、文字部マーク１２及び背景部マーク１３とともに外周マーク１４がシート基材２に印刷された後、凸部１１が形成されることにより製造される。なお、外周マーク１４は、複数の凸部１１の全てをそれぞれ取り囲むように設けられるため、１０×１０のマトリックス状に印刷されることになる。
【００３７】
以下に、上述した偽造防止シート１０１の作用について説明する。
【００３８】
図６は、図５に示した偽造防止シート１０１を正面から観察した場合の作用を説明するための図であり、（ａ）は断面方向から見た図、（ｂ）は偽造防止構造１１０における文字部マーク１２、背景部マーク１３及び外周マーク１４の見え方を示す図である。
【００３９】
図５に示した偽造防止シート１を、図６（ａ）に示すように、正面、すなわち平面部３の法線方向から観察した場合、複数の凸部１１にそれぞれ設けられた文字部マーク１２、背景部マーク１３及び外周マーク１４は、観察方向から遮るものが存在しないため、図６（ｂ）に示すように全ての文字部マーク１２、背景部マーク１３及び外周マーク１４が視認されることとなる。
【００４０】
文字部マーク１２と背景部マーク１３とは、凸部１１の側面１１ａにおいて平面部３からの高さが互いに異なるように設けられているものの、互いに相似形であり、かつ、偽造防止シート１を正面から観察した場合はその高さ方向から観察されることとなり、それにより、文字部マーク１２と背景部マーク１３とが略同一の形状として認識され、同一形状のマークが並んで形成されているものとして認識される。これは凸部１１が微細であるほどこれらが略同一の形状として認識されやすくなる。また、本形態においては、複数の凸部１１の周囲にそれぞれ外周マーク１４が設けられている。すなわち、文字部マーク１２と背景部マーク１３の外側には、それぞれ同一形状の外周マーク１４が設けられている。そのため、全体的に統一感が生じ、凸部１１のそれぞれについて、文字部マーク１２と外周マーク１４との組み合わせと、背景部マーク１３と外周マーク１４との組み合わせとが同一形状として認識されやすくなる。
【００４１】
次に、図５に示した偽造防止シート１０１に対する観察方向を正面、すなわち、シート基材２の平面部３の法線方向から変化させていった場合の作用について説明する。
【００４２】
図７は、図５に示した偽造防止シート１０１に対する観察方向を正面から変化させていった場合の作用を説明するための図であり、（ａ）は断面方向から見た図、（ｂ）は背景部マーク１３が見えなくなる時の平面部３に対する観察方向の角度θ1を示す図、（ｃ）は（ｂ）に示した角度θ1にて文字部マーク１２を見た状態を示す図、（ｄ）〜（ｇ）は偽造防止構造１１０における文字部マーク１２、背景部マーク１３及び外周マーク１４の見え方を示す図である。
【００４３】
図５に示した偽造防止シート１０１に対する観察方向を正面から変化させていくと、シート基材２の平面部３に対する観察方向のなす角度が鋭角になっていく。そして、シート基材２の平面部３に対する観察方向のなす角度が、図７（ｂ）に示すように角度θ1よりも小さくなると、凸部１１の側面１１ａに設けられた文字部マーク１２及び背景部マーク１３のうち背景部マーク１３が、その背景部マーク１３が設けられた凸部１１の観察方向側に隣接する凸部１１によって隠れて見えなくなる。なお、背景部マーク１３が凸部１１によって隠れて見えなくなる角度θ1は、図７（ｂ）に示すように、背景部マーク１３と、その背景部マーク１３が設けられた凸部１１の観察方向側に隣接する凸部１１の頂部１１ｂの端部との間の平面部３と平行となる方向についての距離をｗ1、背景部マーク１３と凸部１１の平面部３に対する高さの差をｔ1とすると、角度θ1＝ｔａｎ-1（ｔ1／ｗ1）で表される。またこの際、凸部１１の周囲にて平面部３に設けられた外周マーク１４は、図７（ｂ）に示すように、その凸部１１の観察方向側に隣接する凸部１１によって隠れて見えなくなっている。
【００４４】
一方、文字部マーク１２においては、シート基材２の平面部３に対する観察方向のなす角度が、背景部マーク１３が見えなくなる角度θ1となった場合においても、図７（ｃ）に示すように、その文字部マーク１２が設けられた凸部１１の観察方向側に隣接する凸部１１によって隠れない。
【００４５】
そのため、偽造防止シート１０１に対する観察方向を、例えば図５中下側に変化させていき、シート基材２の平面部３に対する観察方向のなす角度がθ1よりも小さくなると、凸部１１の側面１１ａに設けられた文字部マーク１２及び背景部マーク１３のうち、全ての文字部マーク１２と観察方向最も手前の列を構成する凸部１１の側面１１ａに設けられた背景部マーク１３のみが見えることになり、また、外周マーク１４のうち、観察方向最も手前の列を構成する凸部１１の周囲に設けられた外周マーク１４以外がほとんど見えなくなり、図７（ｄ）に示すように、この文字部マーク１２によって構成される潜像「Ｔ」が浮かび上がって見えるようになる。
【００４６】
ここで、図５に示した偽造防止シート１０１においては、観察方向によって浮かび上がる潜像を構成する文字部マーク１２が、シート基材２に形成された凸部１１の側面１１ａの全周に渡って設けられ、かつ、複数の凸部１１がマトリックス状に形成されているため、シート基材２の平面部３と観察方向とのなす角度がθ1よりも小さければ、どの方向から観察した場合であっても、文字部マーク１２による潜像が浮かび上がって見えるようになる。例えば、偽造防止シート１０１に対する観察方向を図５中上側に変化させていくと、文字部マーク１２によって構成される潜像「Ｔ」が図７（ｅ）に示すように浮かび上がって見えるようになり、また、偽造防止シート１０１に対する観察方向を図５中右側に変化させていくと、文字部マーク１２によって構成される潜像「Ｔ」が図７（ｆ）に示すように浮かび上がって見えるようになり、また、偽造防止シート１０１に対する観察方向を図５中左側に変化させていくと、文字部マーク１２によって構成される潜像「Ｔ」が図７（ｆ）に示すように浮かび上がって見えるようになる。
【００４７】
なお、上述したどの方向から観察した場合においても、マトリックス状に形成された凸部１１のうち観察方向最も手前の列を構成する凸部１１においては、側面１１ａに設けられた背景部マーク１３や周囲に設けられた外周マーク１４が視認可能な状態となるが、凸部１１の数が多かったり、図７（ｄ）〜（ｇ）に示したように文字部マーク１２によって構成される潜像の線幅がその背景部マーク１３や外周マーク１４による線幅よりも太かったりすること等によってこの背景部マーク１３や外周マーク１４が潜像とは無関係であることが認識できればよい。もし、観察方向最も手前の列を構成する凸部１１の側面１１ａに設けられた背景部マーク１３やその周囲に設けられた外周マーク１４によって潜像が不明瞭となるような場合は、潜像を構成する文字部マーク１２を、マトリックス状に形成された複数の凸部１１のうち、周囲から離れた凸部１１に設ける等すればよい。
【００４８】
シート基材２の平面部３と観察方向とのなす角度がθ1よりも小さければ、上述したように、凸部１１の側面１１ａに設けられた文字部マーク１２及び背景部マーク１３のうち背景部マーク１３が隠れて見えなくなるが、シート基材２の平面部３と観察方向とのなす角度をさらに小さくしていき、シート基材２の平面部３に対する観察方向のなす角度が、図７（ｃ）に示すように角度θ2よりも小さくなると、凸部１１の側面１１ａに設けられた文字部マーク１２までもが、その文字部マーク１２が設けられた凸部１１の観察方向側に隣接する凸部１１によって隠れて見えなくなってしまう。すなわち、シート基材２の平面部３に対する観察方向のなす角度θが、θ2≦θ≦θ1である場合に、凸部１１の側面１１ａに設けられた文字部マーク１２及び背景部マーク１３のうち文字部マーク１２のみが視認可能となることにより潜像「Ｔ」が浮かび上がって見えることになる。なお、文字部マーク１２が凸部１１によって隠れて見えなくなる角度θ2は、図７（ｃ）に示すように、文字部マーク１２と、その文字部マーク１２が設けられた凸部１１の観察方向側に隣接する凸部１１の頂部１１ｂの端部との間の平面部３と平行となる方向についての距離をｗ2、文字部マーク１２と凸部１１の平面部３に対する高さの差をｔ2とすると、角度θ2＝ｔａｎ-1（ｔ2／ｗ2）で表される。
【００４９】
上述した偽造防止シート１０１は、複写した場合、シート基材２の情報印刷領域４に印刷された情報や、シート基材２に印刷により設けられた文字部マーク１２、背景部マーク１３及び外周マーク１４は複写されるものの、凸部１１までは再現できない。そのため、複写物の観察方向を変えていった場合であっても、文字部マーク１２による潜像は浮かび上がらず、それにより、真偽判別を行うことが可能となる。このように真偽判別を行う際、本形態の偽造防止シート１０１においては、偽造防止シート１０１に対する観察方向をシート基材２の平面部３の法線方向からどの方向に変化させていった場合であっても、文字部マーク１２による潜像が浮かび上がって見えるため、観察方向に制限されることなく潜像による真偽判別を容易に行うことができる。
【００５０】
なお、上述した２つの実施の形態において、偽造防止構造１０，１１０に設けられる文字部マーク１２、背景部マーク１３及び外周マーク１４は、本形態のように幅が均一のものではなく、一部が幅方向に突出した形状であってもよい。また、破線で繋がれたものであってもよい。
【００５１】
また、上述した２つの実施の形態における凸部１１の平面部３からの高さや平面部３との境界部分の寸法については、上述したものに限らず、適宜設定が可能である。
【００５２】
また、文字部マーク１２が設けられる領域は、凸部１１の側面１１ａでなくても、凸部１１の頂部１１ｂであってもよい。その場合も、文字部マーク１２は、平面部３に対する高さが凸部１１の背景部マーク１３が設けられた高さより高くなり、また、背景部マーク１３と相似形とする必要がある。
【００５３】
また、凸部１１においては、円柱形のものや頂部１１ｂがない円錐形のものやドーム型のものとすることも考えられる。また、断面が矩形状となるものとすることも考えられる。ただし、凹部１１の平面部３との境界部分が円形状のように中心からの距離が略一定となるものであり、それに伴って文字部マーク１２も円形状のように中心からの距離が略一定となるものとした方が、どの方向から観察しても視認可能となる文字部マーク１２の形状が同一となり、文字部マーク１２によって浮かび上がる潜像の精細な形状を均一化することができる。ただし、平面部３に対する形成角度においては、凸部１１の側面１１ａに設けられた背景部マーク１３を観察方向側に隣接する凸部１１によって隠れやすくするために、平面部３の法線方向に平行に突出するように形成し、凸部１１のそれぞれを円柱等の柱状に形成することが好ましい。
【００５４】
また、上述した２つの実施の形態に示したものにおいては、凸部１１における文字部マーク１２の高さが背景部マーク１３の高さよりも高くなっているが、背景部マーク１３の高さを文字部マーク１２の高さよりも高くし、潜像が白抜き文字として浮かび上がるような構成とすることも考えられる。
【００５５】
また、潜像となる情報は、上述した「Ｔ」のように一文字からなるものに限らず、複数の文字からなるものや模様等であってもよい。また、複数の凸部１１を複数の領域に分割し、その複数の領域毎に文字等が浮かび上がる構成とすることも考えられる。
【００５６】
また、本願で言う相似形とは、一般に言う図形の相似形の他に、円形状のものに対して、円周の一部が少し途切れたものや、円周の一部が少し歪んだものや、全体が少々楕円になったり三角形や四角形に近づく形状に少々歪んだりしたものも相似形として定義する。
【００５７】
また、上述した２つの実施の形態においては、偽造防止媒体として、紙からなるシート基材２に偽造防止構造１０，１１０が設けられた偽造防止シート１，１０１を例に挙げて説明したが、本発明はこのような偽造防止シート１，１０１に限らず、フィルムからなるシート基材や複数の樹脂層が積層されてなるカード基材に上述したような偽造防止構造１０，１１０を設けたものにも適用することが可能である。
【図面の簡単な説明】
【００５８】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は文字部マークが設けられた凸部の構成を示す図、（ｅ）は背景部マークが設けられた凸部の構成を示す図である。
【図２】図１に示した偽造防止シートの製造方法を説明するための図である。
【図３】図１に示した偽造防止シートを正面から観察した場合の作用を説明するための図であり、（ａ）は断面方向から見た図、（ｂ）は偽造防止構造における文字部マーク及び背景部マークの見え方を示す図である。
【図４】図１に示した偽造防止シートに対する観察方向を正面から変化させていった場合の作用を説明するための図であり、（ａ）は断面方向から見た図、（ｂ）は背景部マークが見えなくなる時の平面部に対する観察方向の角度を示す図、（ｃ）は（ｂ）に示した角度にて文字部マークを見た状態を示す図、（ｄ）〜（ｇ）は偽造防止構造における文字部マーク及び背景部マークの見え方を示す図である。
【図５】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は文字部マークが設けられた凸部及びその周辺の構成を示す図、（ｅ）は背景部マークが設けられた凸部及びその周辺の構成を示す図である。
【図６】図５に示した偽造防止シートを正面から観察した場合の作用を説明するための図であり、（ａ）は断面方向から見た図、（ｂ）は偽造防止構造における文字部マーク、背景部マーク及び外周マークの見え方を示す図である。
【図７】図５に示した偽造防止シートに対する観察方向を正面から変化させていった場合の作用を説明するための図であり、（ａ）は断面方向から見た図、（ｂ）は背景部マークが見えなくなる時の平面部３に対する観察方向の角度を示す図、（ｃ）は（ｂ）に示した角度にて文字部マークを見た状態を示す図、（ｄ）〜（ｇ）は偽造防止構造における文字部マーク、背景部マーク及び外周マークの見え方を示す図である。
【符号の説明】
【００５９】
１，１０１    偽造防止シート
２    シート基材
３    平面部
４    情報印刷領域
１０，１１０    偽造防止構造
１１    凸部
１１ａ    側面
１１ｂ    頂部
１２    文字部マーク
１３    背景部マーク
１４    外周マーク
【図１】
2008012725.tif 000003
【図２】
2008012725.tif 000004
【図３】
2008012725.tif 000005
【図４】
2008012725.tif 000006
【図５】
2008012725.tif 000007
【図６】
2008012725.tif 000008
【図７】
2008012725.tif 000009